(57)【要約】【課題】化粧用パフとして使用することができ、かつ、顔面のパックにも好適なフェイスパックシート兼用化粧用パフを提供する。【解決手段】吸水性及び柔軟性を有し、顔面をパックする形状に裁断されたフェイスパックシート２を長方形に折畳んで芯材２Ａとする。芯材２Ａを吸水性及び柔軟性を有する表皮材３で被覆し、両端部を圧着部９で接合してフェイスパックシート兼用化粧用パフ１を形成する。フェイスパックシート兼用化粧用パフ１に化粧水を滲み込ませて、肌のパッティングを行う（図７（Ａ））。その後、表皮材３を開封して（図７（Ｂ））、芯材２Ａを取出す（図７（Ｃ））。芯材２Ａを展開してフェイスパックシート２として顔面のパックを行なう（図７（Ｄ））。パッティング及びフェイスパックに兼用することができ、パッティング時に滲み込ませた化粧水をフェイスパックにも使用できるので経済的である。【選択図】図７
2012016518.tif 000002
【特許請求の範囲】
【請求項１】
顔面をパックするための形状の吸水性及び柔軟性を有するシート材からなるフェイスパックシートを折畳んで芯材とし、該芯材を吸水性及び柔軟性を有するシート材からなる表皮材で開封可能に被覆して化粧用パフを形成したことを特徴とするフェイスパックシート兼用化粧用パフ。
【請求項２】
前記フェイスパックシートを折畳んで略長方形とした前記芯材を略長方形の前記表皮材で被覆したことを特徴とする請求項１に記載のフェイスパックシート兼用化粧用パフ。
【請求項３】
前記芯材の両面を覆う前記表皮材の端部を互い圧着、接合して前記芯材を被覆したことを特徴とする請求項１又は２に記載のフェイスパックシート兼用化粧用パフ。
【請求項４】
前記表皮材に開口部を設けて前記表皮材と前記芯材との間にポケットを形成したことを特徴とする請求項１乃至３のいずれかに記載のフェイスパックシート兼用化粧用パフ。
【請求項５】
前記フェイスパックシート及び前記表皮材は、不織布であることを特徴とする請求項１乃至４のいずれかに記載のフェイスパックシート兼用化粧用パフ。
【請求項６】
前記フェイスパックシート及び前記表皮材は、ウォータジェット加工によって平滑に仕上げられていることを特徴とする請求項５に記載のフェイスパックシート兼用化粧用パフ。
【発明の詳細な説明】
【技術分野】
【０００１】
本発明は、肌のパッティング、化粧品の拭取り及びネイル落し等に用いる化粧用パフと、顔面をパックするためのフェイスパックシートとに兼用するのに適したフェイスパックシート兼用化粧用パフに関するものである。
【背景技術】
【０００２】
従来、化粧用具として、化粧用パフ及びフェイスパックシートが広く用いられている。一般的に、化粧用パフは、スポンジ又はコットン等の吸水性及び柔軟性を有する材料からなり、５０ｍｍ×６０ｍｍ程度の大きさで厚さ数ｍｍ程度の長方形のシート状に形成されている。そして、化粧用パフは、例えば、肌のパッティング、化粧品の拭取り、ネイル落し等に広く用いられている。また、フェイスパックシートは、一般的に、コットン製の不織布等の吸水性及び柔軟性を有する薄いシート材を顔面の形状に合せて目、鼻、口部に切込みを設けて裁断したものであり、化粧水等を滲み込ませて顔面に貼り付け、パックを行なうものである。
【０００３】
従来の化粧用パフは、例えばコットン製の使い捨てのもの（化粧用コットン）では、化粧水を用いて顔面の肌のパッティングを行った後には、そのまま廃棄され、また、スポンジ製のものでは、再使用するために洗浄される。その後、顔面のパック（フェイスパック）を行なう場合には、別途、フェイスパックシートを用意し、化粧水を滲み込ませて、あるいは、予めパック用液が含浸されたフェイスパックシートを用いてパックを行なう。この場合、パッティングの際に化粧用パフに滲み込ませた化粧水は、いずれも廃棄されることになるので、不経済であった。
【０００４】
そこで、従来、特許文献１に記載されているように、吸水性を有する矩形シート状のパック材を複数枚積層し、剥離可能に圧着して適度な厚さとしたパッティング材（化粧用パフ）が提案されている。このパッティング材では、化粧水を滲み込ませてパッティングした後、パック材を一枚毎に剥離して、これを顔面に貼り付けてパックを行なうことにより、パッティング材に残留した化粧水をそのまま顔面のパックに使用することができる。
【先行技術文献】
【特許文献】
【０００５】
【特許文献１】特許第３７８２８１３号公報
【発明の概要】
【発明が解決しようとする課題】
【０００６】
しかしながら、上記特許文献１に記載されたパッティング材では、次のような問題がある。剥離された各パック材は、矩形であるため、顔面を完全に覆うことができないので、必ずしも顔面のパックに適したものとはいえない。
【０００７】
本発明は、上記の点に鑑みてなされたものであり、化粧用パフとして使用することができ、かつ、顔面のパックにも好適なフェイスパックシート兼用化粧用パフを提供することを目的とする。
【課題を解決するための手段】
【０００８】
上記の課題を解決するために、本発明に係るフェイスパックシート兼用化粧用パフは、顔面をパックするための形状の吸水性及び柔軟性を有するシート材からなるフェイスパックシートを折畳んで芯材とし、該芯材を吸水性及び柔軟性を有するシート材からなる表皮材で開封可能に被覆して化粧用パフを形成したことを特徴とする。
【発明の効果】
【０００９】
本発明に係るフェイスパックシート兼用化粧用パフによれば、化粧用パフとして肌のパッティング、化粧品の拭取り及びネイル落し等に使用することができ、かつ、表皮材を開封して芯材を取出し、これを展開することにより、フェイスパックシートとして顔面のパックに使用することができる。
【図面の簡単な説明】
【００１０】
【図１】本発明の一実施形態に係るフェイスパックシート兼用化粧用パフの正面図である。
【図２】図1に示すフェイスパックシート兼用化粧用パフのＡ−Ａ線による縦断面図である。
【図３】図1に示すフェイスパックシート兼用化粧用パフのＢ−Ｂ線による横断面図である。
【図４】図1に示すフェイスパックシート兼用化粧用パフの芯材となるフェイスパックシートの展開した状態の正面図である
【図５】図1に示すフェイスパックシート兼用化粧用パフの表皮を開封した状態を示す図である。
【図６】図１に示すフェイスパックシート兼用化粧用パフの製造工程を示す説明図である。
【図７】図1に示すフェイスパックシート兼用化粧用パフの使用方法を示す説明図である。
【図８】図1に示すフェイスパックシート兼用化粧用パフの変形例を示す正面図である。
【図９】図1に示すフェイスパックシート兼用化粧用パフの他の変形例を示す正面図である。
【発明を実施するための形態】
【００１１】
以下、本発明の一実施形態を図面に基づいて詳細に説明する。
図１乃至図３に示すように、本実施形態に係るフェイスパックシート兼用化粧用パフ１（以下、化粧用パフ１という）は、図４に示すフェイスパックシート２を略長方形となるように折畳んで芯材２Ａ（中綿）とし、この芯材２Ａをこれよりもやや大きい略長方形の表皮材３で被覆した構造となっている。
【００１２】
図４に示すように、フェイスパックシート２は、柔軟性及び吸水性を有するシート状の部材であり、輪郭がパックする顔面の形状に合せて略円形ないし略楕円形に形成され、目、口の位置に合せて、それぞれ略楕円形に開口された目部４及び口部５が設けられ、鼻の位置に合せて略Ｕ字形に切り込まれた鼻部６が設けられている。また、横方向の両端部よりの部位に四方に略放射状に切込み７、８が設けられ、起伏及び凹凸を有する顔面の肌面に密着できるようになっている。フェイスパックシート２の厚さは、展開した状態（図４参照）では、パックを行なう際に顔面に密着し易い厚さであり、また、５０ｍｍ×６０ｍｍ程度の略長方形となるように折畳んで芯材２Ａとした状態では、表皮材３で被覆して化粧用パフ１としたとき、肌のパッティング、化粧品のふき取り及びネイル落とし等に用いるのに適した厚さとなるように、適宜決定する。
【００１３】
表皮材３は、上述のフェイスパックシート２を折畳んだ芯材２Ａに巻き付けるようにして、芯材２Ａを被覆し、長方形の長手方向の両端部の表裏両面の表皮材３を互いに圧着、接合して圧着部９が形成されている。このとき、表皮材３の芯材２Ａに巻きつけられて突合わされた両端部は、重ね代Ｌ（図２参照）をもって重ね合わされている。この重ね合せ部は、互いに結合されず、これにより、芯材２Ａと表皮材３との間にポケット１０を形成して、重ね合せ部がポケット１０の開口部１０Ａとなっている。ポケット１０の開口部１０Ａは、化粧用パフ２の長方形の長手方向に沿って延び、中央から一方（図１及び図２において上方）にオフセットして配置されている。なお、重ね代Ｌは、適宜設定することができ、省略（Ｌ＝０）してもよく、あるいは、表皮材３を重ね合わせず、隙間を設けてもよい。
【００１４】
圧着部９の接合強度は、化粧用パフ１に化粧水等を滲み込ませて表皮材３の繊維が膨潤した状態においても、不用意に剥離することはないが、図５に示すように、ポケット１０の開口部１０Ａを摘んで適当な力で引き剥がすことにより、剥離可能な程度とするとよい。また、表皮材３は、圧着部９以外の部位から開封するようにしてもよく、例えば、表皮材３を不織布とした場合、任意の部分から引き千切ることによって開封することができる。
【００１５】
フェイスパックシート２及び表皮材３を構成するシート材は、吸水性、柔軟性、圧着部９の接合性及び生産性等を考慮して、コットン製の不織布とし、ウォータジェット加工により、表面を平滑化してソフトに仕上げるとよい。しかしながら、フェイスパックシート２及び表皮材３は、パック及び化粧用パフに適した吸水性、柔軟性等の性質が得られれば、合成繊維、混紡繊維等の他の材料を用いてもよく、ガーゼ等の織布としてもよい。また、フェイスパックシート２と表皮材３とは、同じ材料を用いてもよいが、異なる材料を用いてもよい。
【００１６】
次に、化粧用パフ１の製造法の一例について主に図６を参照して説明する。
上述のように顔面の形状に合せて裁断されたフェイスパックシート２を横方向の中央で谷折し（図６（Ａ）参照）、これを更に横方向の中央で谷折して（図６（Ｂ）参照）、縦長のほぼ略長方形とする（図６（Ｃ）参照）。これを上下の端部を中央で合せるように２箇所で谷折して（図６（Ｄ）参照）、縦方向の寸法を２分の１とした長方形とする（図６（Ｅ）参照）。この状態で、フェイスパックシート２は、長方形に折畳まれている。これを更に上下方向の中央で谷折して、長方形の芯材２Ａとする。このとき、フェイスパックシート２は、折畳んだ芯材２Ａが５０ｍｍ×６０ｍｍ程度の長方形となるように、展開状態の形状及び寸法を適宜設定しておく。
【００１７】
なお、上述の図６（Ｄ）、（Ｅ）、（Ｆ）の工程の代りに、図６（Ｃ）に示す縦長の略長方形に折りたたんだものを、図６（Ｄ´）に示すように、下端部側から等間隔で、順次、３箇所を谷折することにより、図６（Ｅ´）に示す長方形に折畳まれた芯材２Ａとするようにしてもよい。
【００１８】
次いで、図６（Ｇ）を参照して、表皮材３となる細長い帯状のシート材３Ａ上に、上述のフェイスパックシート２を折畳んだ芯材２Ａを長手方向に沿って所定の間隔で複数並べる。シート材３Ａの長手方向に沿って延びる両端部を芯材２Ａの中央からオフセットした位置で重ね合わせるようにして、順次、複数の芯材２Ａを包む。そして、複数の芯材２Ａを包んだシート材３Ａを各芯材２Ａの長手方向両端部（圧着部９）で圧着、接合しながら裁断することにより、化粧用パフ１を製造することができる。
【００１９】
次に、化粧用パフ１の使用方法の一例について主に図７を参照して説明する。
先ず、図７（Ａ）を参照して、化粧用パフ１に適当量の化粧水等を滲み込ませ、顔面をパッティング、すなわち、軽くたたくようにして、化粧水を肌に馴染ませる。このとき、ポケット１０に手指Ｆを挿入することより、化粧用パフ１を容易に保持することができる。化粧用パフ１は、適度な厚さに折畳まれたフェイスパックシート２が芯材２Ａとして収納されているので、パッティングし易い厚さとなっており、また、適当量の化粧水等を滲み込ませることができる。表皮材３は、表面がウォータジェット加工によって平滑でソフトに仕上げられているので肌触りがよい。
【００２０】
次に、図６（Ｂ）を参照して、パッティングに使用した後の化粧用パフ１の表皮材３を開封して、内部の芯材２Ａを取出す（図６（Ｃ）参照）。このとき、ポケット１０の開口部１０Ａを摘んで圧着部９を引き剥がすことにより、圧着部９が剥離して表皮材３を容易に開封することができる。なお、表皮材３を任意の部位から引き千切ることによって開封することもできる。また、表皮材３とフェイスパックシート２とは、ウォータジェット加工等により平滑に仕上げられているので、貼り付きが抑制されて、表皮材３から芯材２Ａを容易に取出すことができる。
【００２１】
そして、折畳まれた芯材２Ａを展開し（図６（Ｄ）参照）、フェイスパックシート２として顔面に貼り付けてフェイスパックを行なう。このとき、フェイスパックシート２には、前述のパッティングを行う際に化粧用パフ１に滲み込ませた適量の化粧水等が残存しているので、そのままの状態でフェイスパックを行うことができる。フェイスパックシート２は、ウォータジェット加工等により平滑でソフトに仕上げられているので、芯材２Ａを展開する際には貼り付きが抑制されて容易に展開することができ、また、毛羽立ちが抑制され、フェイスパックする際には肌触りがよい。さらに、切込み７、８が設けられているので、起伏及び凹凸を有する顔面の肌面に容易に密着させることができる。
【００２２】
このようにして、化粧用パフ１は、化粧水等を滲み込ませてパッティングを行い、その後、表皮材３を開封して芯材２Ａを取り出し、これを展開してフェイスパックシート２として顔面のパックを行うことができる。すなわち、化粧パフ１は、パッティング用具及びフェイスパック用具として兼用することができる。このとき、パッテング後に、芯材２Ａに残存した化粧水等は、その後、芯材２Ａを展開してフェイスパックシート２としてパックを行なう際、パック用液として使用されることなるので、化粧水等が無駄にならず、経済的である。
【００２３】
化粧用パフ１は、上述の使用方法のほか、従来の一般的なスポンジ製あるいはコットン製の汎用の化粧用パフと同様、パッティング、化粧品の拭取り、ネイル落し等に使用することができる。また、化粧用パフ１は、パッティング等に使用せず、表皮材３を開封して内部に収容された芯材２Ａを取出し、適宜、化粧水等を滲み込ませ、展開してフェイスパックシート２として、顔面のパックに使用してもよい。このように、化粧用パフ１及びその内部のフェイスパックシート２の使用方法は任意である。
【００２４】
なお、上記実施形態において、ポケット１０の開口部１０Ａの位置は、上述の中央からオフセットした位置のほか、適宜、変更することができ、例えば端部に配置してもよい。あるいは、ポケット１０を省略してフェイスパックシート２を表皮材３で完全に被覆してもよい。この場合、フェイスパックシート２を取出す際に、開封し易くするため、圧着部９の端部に切込み１１（図８及び図９参照）を設けるとよい。
【００２５】
また、上記実施形態では、圧着部９は、芯材２Ａを覆う長方形の表皮材３の長手方向両端部の２辺に設けられているが、例えば図８に示すように３辺に、あるいは、図９に示すように４辺に設けてもよい。なお、図８及び図９に示す例では、ポケット１０が省略され、圧着部９の端部に切込み１１を設けて、表皮材３の開封を容易にしている。更に、芯材２Ａを被覆する際の表皮材３の接合手段は、上述の圧着に限らず、その材質に応じて、例えば熱溶着、接着等の他の接合手段を用いてもよい。また、上記実施形態では、化粧用パフ１は、略長方形としているが、他の形状としてもよく、その形状及び大きさは、任意であり、使い勝手等を考慮して適宜決定することができる。
【符号の説明】
【００２６】
１  フェイスパックシート兼用化粧用パフ、２  フェイスパックシート、２Ａ  芯材、３  表皮材
【図１】
2012016518.tif 000003
【図２】
2012016518.tif 000004
【図３】
2012016518.tif 000005
【図４】
2012016518.tif 000006
【図５】
2012016518.tif 000007
【図６】
2012016518.tif 000008
【図７】
2012016518.tif 000009
【図８】
2012016518.tif 000010
【図９】
2012016518.tif 000011